(57)【要約】【課題】マルチパック包装体の両方向からの開封の確実性を向上させる。【解決手段】天板１の両端間に及ぶ２本の切目列１１に挟まれた部分が開封時に切り取られる切取部１２とし、切取部１２は、両端側で幅がテーパー状に細くなり、中間部分で幅が広くなる形状とする。切取部１２の中間部分で切目列１１に配置された断続する切目１３は、主切目１４と２つの補助切目１５，１６から成り、主切目１４は、天板１と側板２の境界に並行する基本切込部１４ａの一端に、切取部１２の外方向へ張り出して端部側が内向する山形切込部１４ｂが続くものとし、補助切目１５，１６は、切取部１２の内側に位置して、主切目１４の基本切込部１４ａ及び山形切込部１４ｂに互いに間隔が狭くなるようにそれぞれ斜めに接近するものとする。２本の切目列１１における主切目１４の山形切込部１４ｂは、基本切込部１４ａに対し互いに逆方向の端部に位置するものとする。【選択図】図１
2018052520.tif 000002
【特許請求の範囲】
【請求項１】
天板(1)の両側に側板(2)及び底板(3)が順次連設されて折り曲げられ、底板(3)同士が連結されてスリーブ状に形成され、前記天板(1)の両端間に及ぶ２本の切目列(11)に挟まれた部分が開封時に切り取られる切取部(12)とされ、前記切取部(12)は、両端側で幅がテーパー状に細くなり、中間部分で幅が広くなっているマルチパック包装体において、
前記切取部(12)の中間部分で切目列(11)に配置された断続する切目(13)は、主切目(14)と２つの補助切目(15,16)から成り、前記主切目(14)は、天板(1)と側板(2)の境界に並行する基本切込部(14a)の一端に、前記切取部(12)の外方向へ張り出して端部側が内向する山形切込部(14b)が続くものとされ、前記補助切目(15,16)は、切取部(12)の内側に位置して、前記主切目(14)の基本切込部(14a)及び山形切込部(14b)に互いに間隔が狭くなるようにそれぞれ斜めに接近するものとされ、
前記２本の切目列(11)における主切目(14)の山形切込部(14b)は、基本切込部(14a)に対し互いに逆方向の端部に位置することを特徴とするマルチパック包装体。
【請求項２】
前記切取部(12)の中間部分で主切目(14)へ向かう２つの補助切目(15,16)のうち、主切目(14)の山形切込部(14b)へ向かう補助切目(16)は、基本切込部(14a)へ向かう補助切目(15)よりも長くなっており、
長い補助切目(16)の主切目(14)側の端部は、短い補助切目(15)の主切目(14)側の端部を通り基本切込部(14a)に平行に延びる仮想線(L)よりも突き出して山形切込部(14b)に接近していることを特徴とする請求項１に記載のマルチパック包装体。
【請求項３】
前記切取部(12)の両端側部分で切目列(11)に配置された断続する切目(17)は、主切目(18)と１つの補助切目(19)から成り、前記主切目(18)は、前記切取部(12)のテーパー状の輪郭線に沿った基本切込部(18a)に、切取部(12)の端部側で内方向へ向かう内向切込部(18b)が続くものとされ、前記補助切目(19)は、前記切取部(12)の内側に位置して、前記主切目(18)の基本切込部(18a)側の端部に対し切取部(12)の内側へ離れた位置から主切目(18)の内向切込部(18b)側へ斜めに接近するものとされていることを特徴とする請求項１又は２に記載のマルチパック包装体。
【発明の詳細な説明】
【技術分野】
【０００１】
この発明は、複数本の飲料缶等を纏めて持ち運べるように包装する板紙製のマルチパック包装体に関するものである。
【背景技術】
【０００２】
飲料缶を集合包装するマルチパック包装体として、下記特許文献１では、図５に示すようなものを提案している。このマルチパック包装体は、天板５１の両側に側板５２及び底板５３が順次連設され、複数本の缶を包み込むように、天板５１から両側の側板５２を下方へ折り曲げ、側板５２から底板５３を内側へ折り曲げて、底板５３同士を連結することにより、スリーブ状に形成するものである。
【０００３】
このマルチパック包装体の天板５１には、両端の開口面に臨む端縁間にわたって２本の切目列５４が入れられ、２本の切目列５４に挟まれた部分が開封時に切り取られる切取部５５とされている。切取部５５は、両端側で幅がテーパー状に細くなり、中間部分で幅が広くなる形状とされている。
【０００４】
ここで、切取部５５の中間部分で切目列５４に配置された断続する切目５６は、それぞれＹ字状とされ、その二股部分の一方は他方から切り離され、２本の切目列５４は、Ｙ字状の切目５６が互いに逆方向へ向けられている。
【０００５】
このような切目列５４を入れることにより、切取部５５をいずれの端部から引き上げても、切目列５４から逸れることなく天板５１が切断され、切取部５５を切り取って開封できるようにすることが意図されている。
【先行技術文献】
【特許文献】
【０００６】
【特許文献１】特開２００５−１７０４４８号公報
【発明の概要】
【発明が解決しようとする課題】
【０００７】
しかしながら、上記のようなマルチパック包装体では、開封に際し、切取部５５を引っ張る速さや力が不十分な場合、切目列５４から裂目が逸脱し、所定位置での切断によるスムーズな開封が困難になる場合もある。
【０００８】
そこで、この発明は、マルチパック包装体の両方向からの開封の確実性を向上させることを課題とする。
【課題を解決するための手段】
【０００９】
上記のような課題を解決するため、この発明は、天板の両側に側板及び底板が順次連設されて折り曲げられ、底板同士が連結されてスリーブ状に形成され、前記天板の両端間に及ぶ２本の切目列に挟まれた部分が開封時に切り取られる切取部とされ、前記切取部は、両端側で幅がテーパー状に細くなり、中間部分で幅が広くなっているマルチパック包装体において、
前記切取部の中間部分で切目列に配置された断続する切目は、主切目と２つの補助切目から成り、前記主切目は、天板と側板の境界に並行する基本切込部の一端に、前記切取部の外方向へ張り出して端部側が内向する山形切込部が続くものとされ、前記補助切目は、切取部の内側に位置して、前記主切目の基本切込部及び山形切込部に互いに間隔が狭くなるようにそれぞれ斜めに接近するものとされ、
前記２本の切目列における主切目の山形切込部は、基本切込部に対し互いに逆方向の端部に位置するものとしたのである。
【００１０】
前記切取部の中間部分で主切目へ向かう２つの補助切目のうち、主切目の山形切込部へ向かう補助切目は、基本切込部へ向かう補助切目よりも長くなっており、
長い補助切目の主切目側の端部は、短い補助切目の主切目側の端部を通り基本切込部に平行に延びる仮想線よりも突き出して山形切込部に接近しているものとしたのである。
【００１１】
さらに、前記切取部の両端側部分で切目列に配置された断続する切目は、主切目と１つの補助切目から成り、前記主切目は、前記切取部のテーパー状の輪郭線に沿った基本切込部に、切取部の端部側で内方向へ向かう内向切込部が続くものとされ、前記補助切目は、前記切取部の内側に位置して、前記主切目の基本切込部側の端部に対し切取部の内側へ離れた位置から主切目の内向切込部側へ斜めに接近するものとしたのである。
【発明の効果】
【００１２】
この発明に係るマルチパック包装体では、開封に際し、天板の切取部をいずれの端部から引き上げても、切取部が切目列に臨む部分で補助切目により内側へ寄せられるように撓みつつ、切目列の切目間で裂目が順次到達して、切目列から裂目が逸脱する現象が防止され、切取部をスムーズに切り取って開封できる。
【図面の簡単な説明】
【００１３】
【図１】この発明の実施形態に係るマルチパック包装体の包装状態を示す斜視図
【図２】同上のブランクを示す図
【図３】同上の天板部分の拡大図
【図４】同上の開封過程における天板部分を示す斜視図
【図５】特許文献１に記載のマルチパック包装体の包装状態を示す斜視図
【発明を実施するための形態】
【００１４】
以下、この発明の実施形態を添付図面に基づいて説明する。
【００１５】
図１に示すマルチパック包装体は、飲料入りの缶Ｃを６本纏めて持ち運べるように包装するものであり、図２に示すような耐水性板紙のブランクから形成される。
【００１６】
このブランクでは、天板１の両側にそれぞれ側板２及び底板３が順次連設され、一方の底板３に差込片４及び係合片４ａが、他方の底板３に差込穴５及び係合穴５ａがそれぞれ設けられている。差込穴５はスリット状であり、差込穴５に臨んで押込片５ｂが切込により形成されている。また、他方の底板３には、缶Ｃの底面に印字された賞味期限や製造番号等を確認するための確認窓５ｃが設けられている。
【００１７】
側板２の天板１寄りの両端辺には折込片６が連設され、折込片６と天板１のコーナー部とは抱持片７で繋がれている。
【００１８】
底板３から側板２の下部となる部分にかけては、先端が丸みを帯びた固定片８が切込により３個ずつ形成され、固定片８の基部及び中間部には、幅方向に延びる折目線８ａ，８ｂがそれぞれ入れられている。固定片８は、包装時の折目線８ａ，８ｂに沿った折り曲げに伴い起こされて、その抜出により側板２と底板３の境界部分の抜穴９が拡大される。
【００１９】
天板１には、押し込みに伴い、運搬用の指入穴を形成する一対の指押片１０が半円状の切目を入れて形成されている。
【００２０】
そして、天板１には、両端間に及ぶ２本の切目列１１が入れられ、２本の切目列１１に挟まれた部分が開封時に切り取られる切取部１２となっている。
【００２１】
図３に示すように、切取部１２の中間部分で切目列１１に配置された断続する切目１３は、切取部１２の中間部分の輪郭をなす主切目１４と、切取部１２の内側に位置して主切目１４に対応する２つの補助切目１５，１６とから構成されている。
【００２２】
主切目１４は、天板１と側板２の境界に並行する直線の基本切込部１４ａの一端に、山形状をなすように切取部１２の外方向へ張り出し、端部側が屈曲して内側へ向き、基本切込部１４ａの延長線Ｅ上へ戻る山形切込部１４ｂが続くものとされている。
【００２３】
補助切目１５，１６は、主切目１４の基本切込部１４ａ及び山形切込部１４ｂに互いに間隔が狭くなるようにそれぞれ斜めに接近するものとされている。
【００２４】
切目１３の２つの補助切目１５，１６のうち、主切目１４の山形切込部１４ｂ側へ向かう補助切目１６は、その反対側へ向かう補助切目１５よりも長くなっており、長い補助切目１６の主切目１４側の端部は、短い補助切目１５の主切目１４側の端部を通り基本切込部１４ａに平行に延びる仮想線Ｌよりも突き出して山形切込部１４ｂに接近している。
【００２５】
切取部１２の両側の２本の切目列１１において、主切目１４の山形切込部１４ｂは、基本切込部１４ａに対し互いに逆方向の端部に位置している。
【００２６】
また、切取部１２の両端側部分で切目列１１に配置された断続する切目１７は、切取部１２の両端側部分の輪郭をなす主切目１８と、切取部１２の内側に位置して主切目１８に対応する１つの補助切目１９とから構成されている。
【００２７】
主切目１８は、切取部１２のテーパー状の輪郭線に沿った基本切込部１８ａに、切取部１２の端部側で内方向へ向かう内向切込部１８ｂが続く鉤状のものとされ、補助切目１９は、主切目１８の基本切込部１８ａ側の端部に対し切取部１２の内側へ離れた位置から主切目１８の内向切込部１８ｂ側へ斜めに接近するものとされている。
【００２８】
上記のようなブランクから成るマルチパック包装体を使用して、図１に示すように、６本の缶Ｃを集合包装するには、３本ずつ２列に並べた缶Ｃの上面に天板１を被せ、両側の側板２を下方へ折り曲げ、底板３を内側へ折り曲げる。そして、底板３の係合片４ａと係合穴５ａを係合させ、差込片４を差込穴５へ差し込んで、底板３同士を連結し、スリーブ状に保形する。
【００２９】
また、折込片６を内側へ折り込み、抱持片７を缶Ｃの上部外周に沿わせて、缶Ｃの上部を保持し、固定片８を折目線８ａ，８ｂを軸として互いに逆方向へ折り曲げ、固定片８の先端を缶Ｃの底面の凹部周縁に係合させ、缶Ｃの底部外周を側板２と底板３の境界部分に形成された抜穴９に嵌合させて、缶Ｃの下部を保持することにより、両端面の開口部から缶Ｃを抜け止めする。
【００３０】
このように缶Ｃを包装したマルチパック包装体を開封する際には、図４に示すように、天板１の切取部１２をいずれか一方の端部から引き上げて、切取部１２の両側の切目列１１を切断する。
【００３１】
このとき、切取部１２の引張方向において、幅が漸次広くなるテーパー状となった一方の端部側部分では、切目列１１の切目１７間で裂目がテーパーの内側へ逸れようとする傾向があるものの、切目１７間において、通常のジッパ型切目列と同様、主切目１８の基本切込部１８ａからその延長線より内側に位置する内向切込部１８ｂへ裂目が達するので、切目列１１が途切れることなく切断される。
【００３２】
また、切取部１２の中間部分では、両側の切目列１１が平行となっており、切目列１１の切目１３間で裂目が切取部１２の外側へ逸れようとする傾向があるものの、切取部１２が切目列１１に臨む部分で補助切目１５，１６により内側へ寄せられるように撓みつつ、切目１３間において、主切目１４の基本切込部１４ａからその延長線より外側に位置する山形切込部１４ｂへ、又は山形切込部１４ｂからその延長線より外側に位置する基本切込部１４ａへ裂目が達するので、切目列１１が途切れることなく切断される。
【００３３】
さらに、切取部１２の幅が漸次狭くなるテーパー状となった他方の端部側部分では、切目列１１の切目１７間で裂目がテーパーの外側へ逸れようとする傾向があるものの、切取部１２が切目列１１に臨む部分で補助切目１９により内側へ寄せられるように撓みつつ、切目１７間において、主切目１８の内向切込部１８ｂからその延長線より外側に位置する基本切込部１８ａへ裂目が達するので、切目列１１が途切れることなく切断される。
【００３４】
そして、上記マルチパック包装体では、開封に際し、天板１の切取部１２をいずれの端部から引き上げても、切目列１１の切目１３，１７が同様の条件で配置されていることから、切目列１１の切目１３，１７間で裂目が逸脱する現象が防止され、切取部１２をスムーズに切り取って開封できる。
【００３５】
また、主切目１４と補助切目１５，１６の間隔及び主切目１８と補助切目１９の間隔がある程度確保されているので、指押片１０の押込に伴い形成される指入穴に指を入れ、天板１から吊り下げるように持ち運んでも、切目列１１に沿った破断が防止される。
【００３６】
なお、上記実施形態では、缶Ｃの下部を固定片８の係合により保持するものを例示したが、折込片６の上部と天板１のコーナー部とを繋ぐ抱持片７と同様に、折込片６の下部と底板３のコーナー部とを繋ぐ抱持片７を設け、これを両端の開口部に臨む缶Ｃの外周下部に沿わせて、両端の開口部からの缶Ｃの飛び出しを防止するマルチパック包装体においても、上記と同様の開封構造を適用することができる。
【００３７】
また、飲料入りの缶Ｃを包装するものについて例示したが、ＰＥＴボトル等の他の飲料容器やゼリー等の食品入りのカップを集合包装するマルチパック包装体についても、上記と同様の開封構造を適用することができる。
【符号の説明】
【００３８】
１  天板
２  側板
３  底板
４  差込片
４ａ  係合片
５  差込穴
５ａ  係合穴
５ｂ  押込片
５ｃ  確認窓
６  折込片
７  抱持片
８  固定片
８ａ，８ｂ  折目線
９  抜穴
１０  指押片
１１  切目列
１２  切取部
１３  切目
１４  主切目
１４ａ  基本切込部
１４ｂ  山形切込部
１５，１６  補助切目
１７  切目
１８  主切目
１８ａ  基本切込部
１８ｂ  内向切込部
１９  補助切目
Ｃ  缶
【図１】
2018052520.tif 000003
【図２】
2018052520.tif 000004
【図３】
2018052520.tif 000005
【図４】
2018052520.tif 000006
【図５】
2018052520.tif 000007